【事件の表示】
　特願２０１６−１７４２６３「複数装置を有する双方向メディア案内システム」拒絶査定不服審判事件〔平成２９年　１月１９日出願公開、特開２０１７−　１７７３７〕について、次のとおり審決する。
【結　論】
　本件審判の請求は、成り立たない。
【理　由】
第１　経緯
　本件出願は、２００６年（平成１８年）１２月８日（パリ条約による優先権主張外国庁受理　２００５年１２月２３日、米国　２００５年１２月２３日、米国）を国際出願日とする出願である特願２００８−５４７２９４号の一部を、数次の分割を経て平成２８年９月７日に新たな特許出願としたものであって、手続の経緯は以下のとおりである。
　平成２９年１０月２６日付け：拒絶理由通知
　平成３０年　４月　２日　　：意見書の提出及び手続補正
　平成３０年　９月　６日付け：拒絶査定
　平成３０年　９月１０日　　：拒絶査定の謄本の送達
　平成３１年　１月１０日　　：審判請求及び手続補正
　令和　元年１１月２２日付け：当審の拒絶理由通知
　令和　２年　２月２５日　　：意見書の提出及び手続補正
第２　本願発明について
１　本願発明
　本願の請求項に係る発明は、令和２年２月２５日付け手続補正で補正された特許請求の範囲の請求項１ないし１０に記載した事項により特定されるものであるところ、その請求項６に係る発明（以下、「本願発明」という。）は、次のとおりのものである。
　なお、各構成の符号（Ａ）〜（Ｅ６）は、説明のために当審で付したものであり、以下、構成Ａ〜構成Ｅ６と称する。
（本願発明）
「【請求項６】
（Ａ）ユーザ機器装置のグループを生成し、前記グループ内の前記ユーザ機器装置とコンテンツを共有するシステムであって、
（Ｂ）前記システムは、ユーザの家庭内に設置されたユーザ機器装置を含み、
（Ｂ）前記ユーザの家庭内に設置された前記ユーザ機器装置は、
（Ｃ）第１のユーザインターフェースを提示することであって、
（Ｃ１）前記第１のユーザインターフェースは、前記ユーザの家庭内の１つ以上のユーザ機器装置を前記グループに追加するように前記第１のユーザインターフェース内に提示された前記ユーザの家庭内の前記１つ以上のユーザ機器装置を前記ユーザが選択することによって、前記ユーザが前記グループを生成することを可能にするためのものである、ことと、
（Ｄ）第２のユーザインターフェースまたは第３のユーザインターフェースを提示することであって、
（Ｄ１）前記第２のユーザインターフェースは、前記グループに参加するように他のユーザの家庭内のユーザ機器装置を前記ユーザが招待することを可能にするためのものであり、
（Ｄ２）前記第３のユーザインターフェースは、他のユーザの家庭内のユーザ機器装置からの前記グループに参加するという要求を前記ユーザが承諾することを可能にするためのものである、ことと、
（Ｅ）第４のユーザインターフェースを提示することであって、
（Ｅ１）前記第４のユーザインターフェースは、前記グループ内の他のユーザ機器装置と共有されるコンテンツを前記ユーザの家庭内に設置された前記ユーザ機器装置に記録することを前記ユーザに行わせることを可能にするためのものである、ことと、
（Ｅ２）前記グループ内の前記ユーザ機器装置の間で共有されるコンテンツのリストを表示することであって、
（Ｅ３）前記共有されるコンテンツは、前記ユーザの家庭内に設置された前記ユーザ機器装置によって記録されたコンテンツを含む、ことと、
（Ｇ）前記ユーザの家庭内に設置された前記ユーザ機器装置によって記録された前記コンテンツを再生するという要求を前記ユーザ機器装置の前記グループ内の他のユーザ機器装置から受信することと、
（Ｈ）前記コンテンツを前記他のユーザ機器装置に伝送することと
　を行うように構成されており、
（Ｂ）前記ユーザの家庭内に設置された前記ユーザ機器装置は、
（Ｅ４）選択されたコンテンツを記録するために、前記グループ内の前記ユーザ機器装置のうちの少なくとも２つに前記グループによって共有される格納空間を分配することと、
（Ｅ５）前記分配された格納空間を用いて、前記選択されたコンテンツを格納することと
　を行うようにさらに構成されており、
（Ｅ６）前記グループ内の前記１つ以上のユーザ機器装置は、前記選択されたコンテンツを記録した後に、前記グループ内の前記ユーザ機器装置のうちの前記少なくとも２つのうちの他の任意のユーザ機器装置に分配された格納空間に前記選択されたコンテンツを格納するように構成されている、
（Ａ）システム。」
２　引用文献に記載される発明及び技術
（１）引用文献１
（１−１）引用文献１の記載事項
　令和元年１１月２２日付けの当審の拒絶の理由に記載された引用文献１である特開２００４−１０２４５０号公報には、「サーバ装置、車載用電子機器、及びコンテンツ処理方法」（発明の名称）に関し、図面と共に次に掲げる事項が記載されている。
　なお、下線は、強調のために当審で付したものである。
ア　「【００１７】
＜システム構成＞
本システムは、
集合住宅や近接する複数の家で構成されるグループなどに適用され、
メインサーバ２５１、
複数のホームサーバ１１１，１２１，…を有する。
【００１８】
ＬＡＮ１３１及びアンテナ線１４１は、集合住宅などの共用施設として配設されており、各家庭やガレージに設けられる個々のサーバの間での通信を可能とする。
【００１９】
メインサーバ２５１は、例えば集合住宅の管理室などに設けられ、本システム全体の制御を司るものである。
イ　「【００２１】
ホームサーバ１１１は、
ユーザの自宅に設けられたものである。ホームサーバ１２１…は、その他のユーザの自宅に設けられたものである。
【００２２】
なお、車載サーバ１０１や
複数のホームサーバ１１１，１２１，…は、例えばＨＤＤや書き込み可能なＤＶＤ等の二次記憶装置（以下、ＨＤＤと呼ぶ）を備えており、動画像などのコンテンツの保存や再生を行なうことが可能である。
【００２３】
＜各サーバの内部構成＞
メインサーバ２５１は、制御部２５２及びＨＤＤ２５３を有する。
【００２４】
制御部２５２は、コンテンツを保存するときに、そのコンテンツを構成する個々のデータを、当該コンテンツを共有すべき複数のサーバ（
複数のホームサーバ１１１，１２１，…のうちの一部又は全部）で分担して保存させる。
【００２５】
ＨＤＤ２５３は、コンテンツを構成する個々のデータの分担を示すディレクトリ情報２５４（どのサーバのＨＤＤにコンテンツのどの部分のデータを保存したかを示す情報）を保存する。
【００２６】
また、
制御部２５２は、コンテンツの共有に対してあるサーバが離脱もしくは参加するときには、データの分担を変更するとともにＨＤＤ２５３に保存されているディレクトリ情報２５４を更新する。このディレクトリ情報２５４は、任意のサーバがコンテンツを再生するときに参照される。
ウ　「【００３２】
＜コンテンツを複数のサーバへ分割して保存する処理＞
図１を用い、本実施形態におけるコンテンツの保存の方法を示す。
サーバ２５１は、制御部
１１２、１２２にＬＡＮ１３１を介してアクセスすることで、サーバ
１１１、１２１の状態（視聴状態など）を認識する。
【００３３】
いま、
あるコンテンツについて、サーバ
１１１、１２１が同じコンテンツを保存しようとしている場合、サーバ２５１が、保存すべきデータを各サーバのＨＤＤに割り振り、それぞれ
データ２１４２、データ２２４３の保存を指示する。
【００３４】
各サーバは、例えばサーバ１０１においては、本来、データ２０４１、２０４２、２０４３を保存すべきところを、データ２０４２についてはデータ２１４２、データ２０４３についてはデータ２２４３として別のサーバに保存することができ、サーバ１０１内で使用するＨＤＤの記憶容量を節約することができる。
【００３５】
なお、各サーバでの保存処理においては、制御部により、ストリームの分離、ＭＰＥＧ２エンコードなどの動画圧縮、必要であれば著作権保護等、必要な符号化処理を行なってから、ＨＤＤへの保存を行なう。コンテンツは、ＬＡＮ１３１から供給される場合もありうるが、その場合も制御部により必要な符号化処理を行なってからＨＤＤへの保存を行なう。
【００３６】
各サーバでコンテンツを再生する場合は、サーバ２５１に保持されるディレクトリ情報２５４を参照しながら、別のサーバに保存されているデータを使用して再生する。
【００３７】
なお、各サーバでの再生処理においては、制御部により、ＭＰＥＧ２デコードや著作権保護の解除等、必要な複合化処理を行なってから、再生を行なう。」
エ　「【００４８】
まず、複数のホームサーバにコンテンツのデータを分割して保存する方法の例をいくつか紹介する。
【００４９】
＜コンテンツ全体を分割してデータを保存する方法＞
ホームサーバの個数をｎ個、あるコンテンツの全体の時間をＬとすると、全体をｎ分割して、各ホームサーバに順次データを保存していく
【００５０】
この場合に、あるホームサーバｊが共有を行なわなくなるためにデータを別のホームサーバに移動させる場合は、ホームサーバｊに保存されていたデータを時間方向でｎ−１個に分割し、ｊ以外のホームサーバにデータを割り振りすればよい。
【００５１】
逆に、コンテンツを共有するホームサーバを追加する場合は、ホームサーバ１〜ｎに保存されたデータから、それぞれ１／ｎの時間の分のデータを、新たに追加したホームサーバｎ＋１に割り当てればよい。」
オ　「【００５９】
＜データの冗長化＞
サーバ間でのデータ保持の仕方に適切な冗長度を持たせることで、何らかの障害によってコンテンツの共有に参加するホームサーバのいずれかが故障した場合にも、全体としてのデータの破壊を免れることができる。
カ　「【００９５】
・
同じコンテンツを保存しようとしているかどうかは、各サーバが保存しようとするチャネルが何であるかを、サーバ間で共有するかサーバを統括する機構により観測すること等で判断することが可能となる。
キ　「【０１００】
なお、本発明は、上述した実施形態に限定されるものではなく、その
要旨を逸脱しない範囲内で種々変形して実施することが可能である。
（１−２）引用文献１に記載された発明
　上記ア〜キに摘記した記載事項から、引用文献１には、次の発明（以下、「引用発明」という。）が記載されていると認められる。
　なお、各構成の符号（ａ）〜（ｍ）は説明のために当審において付したものであり、以下、構成ａ〜ｍと称する。
（引用発明）
（ａ）集合住宅や近接する複数の家で構成されるグループなどに適用され、メインサーバ２５１、複数のホームサーバ１１１，１２１，…を有するシステムであって、
（ｂ）メインサーバ２５１は、例えば集合住宅の管理室などに設けられ、本システム全体の制御を司るものであり、
（ｃ）ホームサーバ１１１は、ユーザの自宅に設けられたものであり、ホームサーバ１２１…は、その他のユーザの自宅に設けられたものであり、
（ｄ）複数のホームサーバ１１１，１２１，…は、例えばＨＤＤや書き込み可能なＤＶＤ等の二次記憶装置（以下、ＨＤＤと呼ぶ）を備えており、動画像などのコンテンツの保存や再生を行なうことが可能であり、
（ｅ）メインサーバ２５１は、制御部２５２及びＨＤＤ２５３を有し、
制御部２５２は、コンテンツを保存するときに、そのコンテンツを構成する個々のデータを、当該コンテンツを共有すべき複数のサーバ（複数のホームサーバ１１１，１２１，…のうちの一部又は全部）で分担して保存させ、
（ｆ）制御部２５２は、コンテンツの共有に対してあるサーバが離脱もしくは参加するときには、データの分担を変更するとともにＨＤＤ２５３に保存されているディレクトリ情報２５４を更新し、このディレクトリ情報２５４は、任意のサーバがコンテンツを再生するときに参照され、
（ｇ）サーバ２５１は、制御部１１２、１２２にＬＡＮ１３１を介してアクセスすることで、サーバ１１１、１２１の状態（視聴状態など）を認識し、
あるコンテンツについて、サーバ１１１、１２１が同じコンテンツを保存しようとしている場合、サーバ２５１が、保存すべきデータを各サーバのＨＤＤに割り振り、それぞれデータ２１４２、データ２２４３の保存を指示し、
（ｈ）各サーバでコンテンツを再生する場合は、サーバ２５１に保持されるディレクトリ情報２５４を参照しながら、別のサーバに保存されているデータを使用して再生し、
（ｉ）ホームサーバの個数をｎ個、あるコンテンツの全体の時間をＬとすると、全体をｎ分割して、各ホームサーバに順次データを保存していき、
（ｊ）サーバ間でのデータ保持の仕方に適切な冗長度を持たせることで、何らかの障害によってコンテンツの共有に参加するホームサーバのいずれかが故障した場合にも、全体としてのデータの破壊を免れることができ、
（ｋ）同じコンテンツを保存しようとしているかどうかは、各サーバが保存しようとするチャネルが何であるかを、サーバ間で共有するかサーバを統括する機構により観測すること等で判断することが可能となり、
（ｌ）要旨を逸脱しない範囲内で種々変形して実施することが可能である、
（ｍ）システム。
（２）引用文献２
（２−１）引用文献２の記載事項
　令和元年１１月２２日付けの当審の拒絶の理由に記載された引用文献２である米国特許出願公開第２００５／０２１６９４２号明細書には、「マルチメディアコンテンツのマルチキャスト配信システム」（発明の名称）に関し、図面と共に次に掲げる事項が記載されている。
　なお、下線は、強調のために当審で付したものである。
ア　「[0142]
FIG. 10 shows a media server 1002 in a locally networked DVR setup in a house 1001. In the example of FIG. 10, 
DVR 1003 is located in Bedroom 1, DVR 1004 is located in Bedroom 2, and DVR 1005 is located in the Entertainment room. The media server 1002 resides in the Living room. The user sends information instructing the service center 1006 that DVRs 1003, 1004, 1005, and media server 1002 are authorized to share content and associates each unit by the room in which it resides.
（仮訳）
「
図10は、家庭1001におけるローカルネットワーク化されているDVRのセットアップにおけるメディアサーバ1002を示している。
DVR 1003は寝室1に位置しており、DVR 1004は寝室2に位置しており、DVR 1005は娯楽室に位置している。メディアサーバ1002は居間に存在している。ユーザは、DVR 1003、1004、1005およびメディアサーバ1002がコンテンツの共有を許可されるようにサービスセンター1006に命令する情報を送り、各ユニットを、それぞれが存在している部屋によって関連付ける。
イ　「
」
（２−２）引用文献２に記載された技術
　上記ア〜イに摘記した記載事項から、引用文献２には、次の技術（以下、「文献２技術」という。）が記載されていると認められる。
　なお、各構成の符号（ｎ１）〜（ｏ）は説明のために当審において付したものであり、以下、構成ｎ１〜ｏと称する。
（文献２技術）
（ｎ１）図10は、家庭1001におけるローカルネットワーク化されているDVRのセットアップにおけるメディアサーバ1002を示し、
（ｏ）DVR 1003は寝室1に位置しており、DVR 1004は寝室2に位置しており、DVR 1005は娯楽室に位置しており、メディアサーバ1002は居間に存在しており、
（ｎ２）ユーザは、DVR 1003、1004、1005およびメディアサーバ1002がコンテンツの共有を許可されるようにサービスセンター1006に命令する情報を送り、各ユニットを、それぞれが存在している部屋によって関連付ける、
技術。
（３）引用文献３
（３−１）引用文献３の記載事項
　令和元年１１月２２日付けの当審の拒絶の理由に記載された引用文献３である特開２００５−１８４５０３号公報には、「番組予約装置、番組予約情報通知システム及び番組予約通知プログラムを記録した記録媒体」（発明の名称）に関し、図面と共に次に掲げる事項が記載されている。
　なお、下線は、強調のために当審で付したものである。
ア　「【００５０】
　以下、上述のように構成された番組予約情報通知システムの動作を説明する。
　図５は、
グループ作成及び通知を示す制御シーケンスであり、
制御部２１，３１により実行される。
本フローは、ユーザをグループ化しておくためのフローであり他の処理に先立って最初に実行されるものである。
　図５において、
送信側は例えば放送受信機１０、受信側は放送受信機２０又は携帯端末３０
【００５１】
　まず、
送信側はステップＳ１でユーザＩＤを用いてリストを作成し招待状を受信側に送る。
【００５２】
　
受信側はステップＳ２でこの招待状を受け取り優先度指定（最低は拒絶）して送信側に返信する。
【００５３】
　
送信側はステップＳ３で返信を集計し、拒絶ＩＤ（返信がＮＧであったユーザＩＤ）をリストから削除する。次いで、ステップＳ４でグループ管理データベース（ＤＢ）に登録し、グループＩＤを作成する。
イ　「【図５】
」
（３−２）引用文献３に記載された技術
　上記ア〜イに摘記した記載事項から、引用文献３には、次の技術（以下、「文献３技術」という。）が記載されていると認められる。
　なお、各構成の符号（ｐ）〜（ｐ４）は説明のために当審において付したものであり、以下、構成ｐ〜ｐ４と称する。
（文献３技術）
（ｐ） グループ作成及び通知を示す制御シーケンスであって、制御部２１，３１により実行され、ユーザをグループ化しておくためのフローであり他の処理に先立って最初に実行されるものであり、
（ｐ１）送信側は例えば放送受信機１０、受信側は放送受信機２０又は携帯端末３０であり、
（ｐ２）送信側はステップＳ１でユーザＩＤを用いてリストを作成し招待状を受信側に送り、
（ｐ３）受信側はステップＳ２でこの招待状を受け取り優先度指定（最低は拒絶）して送信側に返信し、
（ｐ４）送信側はステップＳ３で返信を集計し、拒絶ＩＤ（返信がＮＧであったユーザＩＤ）をリストから削除し、次いで、ステップＳ４でグループ管理データベース（ＤＢ）に登録し、グループＩＤを作成する、
技術。
（４）引用文献４
（４−１）引用文献４の記載事項
　令和元年１１月２２日付けの当審の拒絶の理由に記載された引用文献４である特開２００５−１４８７９６号公報には、「コンテンツ管理配信システム、コンテンツ管理配信方法、端末装置およびサーバ装置」（発明の名称）に関し、図面と共に次に掲げる事項が記載されている。
　なお、下線は、強調のために当審で付したものである。
ア　「【００７４】
  ところで、会員ユーザが所持する自作コンテンツとしては、すべての会員ユーザに提供する性質のものではないが、家族や友人、同好の士などの特定のグループ内でのみ、交換したいものもある。例えば、グループの集まりなどのお知らせの掲示板コンテンツ、一緒に旅行に行ったグループの仲間に提供する旅行中の撮影写真、ビデオ映像、などが挙げられる。
【００７５】
  そこで、この実施形態では、更なるコンテンツの提供態様として、上述のような
特定のグループなどの制限された会員ユーザにのみ、特定のコンテンツを提供することができる態様
特定のコンテンツを配布する会員端末装置のグループを倶楽部と呼ぶ
【００７６】
  この倶楽部は、この実施形態では、会員端末装置２００がサーバ装置１００に対して登録することにより設定される。サーバ装置１００は、倶楽部管理メモリ部１０５を備えており、登録された倶楽部の情報を管理する。
【００７７】
  倶楽部管理メモリ部１０５には、各倶楽部の情報として、倶楽部登録した会員端末装置の識別情報、配布されるコンテンツの識別情報、当該コンテンツの所在情報（当該コンテンツのデータがコンテンツ格納部に格納されている会員端末装置の識別情報であって、この例では、倶楽部登録した会員端末装置の識別情報）、倶楽部に参加する会員端末装置の識別情報などが記憶される。ここで、「倶楽部に参加する」とは、当該倶楽部のグループに所属して、倶楽部コンテンツの配布を受けることを意味している。」
イ　「【０３７４】
　また、
ステップＳ２８７で、予め登録された会員端末装置候補群から倶楽部に参加許可する会員端末装置を選択することを会員端末装置２００が要求していると判別したときには、ＣＰＵ１１０は、会員情報管理メモリ部１０１において、倶楽部登録要求してきた会員ユーザについて登録されている倶楽部に参加可能な会員端末装置の候補群に関する情報を読み出し、その候補群に含まれる会員端末装置のリスト（または会員ユーザのリスト）を含むＧＵＩ画面のデータを、倶楽部登録要求してきた会員端末装置２００に送信する（ステップＳ２９０）。
【０３７５】
　
このＧＵＩ画面データを受信した会員端末装置２００は、参加許可する会員ユーザの会員端末装置２００の選択をして、その選択した会員端末装置に関する情報を送ってくるので、ＣＰＵ１１０は、この参加許可される会員端末装置に関する情報を受信し、この受信情報を含む倶楽部登録情報を、倶楽部管理メモリ部１０５の非公開領域に格納する（ステップＳ２９１）。
【０３７６】
　そして、ＣＰＵ１１０は、倶楽部登録要求してきた会員ユーザによって設定された参加許可端末のそれぞれについて、倶楽部通知フラグを立てる（ステップＳ２９２）。この倶楽部通知フラグは、サーバ装置１００が、倶楽部参加許可された会員端末装置２００に対して、その旨を通知したかどうかの確認のために用いられる。」
ウ　「【０３８２】
　そして、参加条件付でないと判別したときには、
ＣＰＵ１１０は、倶楽部管理メモリ部１０５において、前記倶楽部の選択情報で特定される倶楽部の参加端末として、参加要求してきた会員端末装置の識別情報ＩＤを書き込んで登録する（ステップＳ３１１）。そして、ＣＰＵ１１０は、参加登録許可通知を、参加要求してきた会員端末装置２００に送信する（ステップＳ３１２）。
【０３８３】
　また、ＣＰＵ１１０は、参加要求された倶楽部を登録した会員端末装置２００に対して、所持している倶楽部コンテンツを、参加要求して許可された会員端末装置２００にＰ２Ｐ配信するようにする指示制御信号を送信する（ステップＳ３１４）。
【０３８４】
　また、
ステップＳ３０６において、参加要求された倶楽部は、参加条件付であると判別したときには、ＣＰＵ１１０は、参加要求してきた会員端末装置２００に対して、参加条件入力用のＧＵＩ画面のデータを送信する（ステップＳ３０７）。そして、ＣＰＵ１１０は、当該会員端末装置２００からの参加条件入力情報の到来を待ち（ステップＳ３０８）、参加条件入力情報を受信したときには、参加条件をクリアしているか否か判別する（ステップＳ３０９）。
【０３８５】
  
ステップＳ３０９で、参加条件をクリアしていないと判別したときには、ＣＰＵ１１０は、参加不許可通知を参加要求してきた会員端末装置２００に送信し（ステップＳ３１０）、その後、ステップＳ２３１に戻る。また、ステップＳ３０９で、参加条件をクリアしていると判別したときには、ＣＰＵ１１０は、ステップＳ３１１に進み、前述したステップＳ３１１以降の処理を実行する。
（４−２）引用文献４に記載された技術
　上記ア〜ウに摘記した記載事項から、引用文献４には、次の技術（以下、「文献４技術」という。）が記載されていると認められる。
　なお、各構成の符号（ｑ）〜（ｔ３）は説明のために当審において付したものであり、以下、構成ｑ〜ｔ３と称する。
（文献４技術）
（ｑ）特定のグループなどの制限された会員ユーザにのみ、特定のコンテンツを提供することができる態様であって、
（ｒ）特定のコンテンツを配布する会員端末装置のグループを倶楽部と呼び、
（ｓ１）ステップＳ２８７で、予め登録された会員端末装置候補群から倶楽部に参加許可する会員端末装置を選択することを会員端末装置２００が要求していると判別したときには、ＣＰＵ１１０は、会員情報管理メモリ部１０１において、倶楽部登録要求してきた会員ユーザについて登録されている倶楽部に参加可能な会員端末装置の候補群に関する情報を読み出し、その候補群に含まれる会員端末装置のリスト（または会員ユーザのリスト）を含むＧＵＩ画面のデータを、倶楽部登録要求してきた会員端末装置２００に送信し（ステップＳ２９０）、
（ｓ２）このＧＵＩ画面データを受信した会員端末装置２００は、参加許可する会員ユーザの会員端末装置２００の選択をして、その選択した会員端末装置に関する情報を送ってくるので、ＣＰＵ１１０は、この参加許可される会員端末装置に関する情報を受信し、この受信情報を含む倶楽部登録情報を、倶楽部管理メモリ部１０５の非公開領域に格納し（ステップＳ２９１）、
（ｔ１）ステップＳ３０６において、参加要求された倶楽部は、参加条件付であると判別したときには、ＣＰＵ１１０は、参加要求してきた会員端末装置２００に対して、参加条件入力用のＧＵＩ画面のデータを送信し（ステップＳ３０７）、そして、ＣＰＵ１１０は、当該会員端末装置２００からの参加条件入力情報の到来を待ち（ステップＳ３０８）、参加条件入力情報を受信したときには、参加条件をクリアしているか否か判別し（ステップＳ３０９）、
（ｔ２）ステップＳ３０９で、参加条件をクリアしていないと判別したときには、ＣＰＵ１１０は、参加不許可通知を参加要求してきた会員端末装置２００に送信し（ステップＳ３１０）、その後、ステップＳ２３１に戻り、また、ステップＳ３０９で、参加条件をクリアしていると判別したときには、ＣＰＵ１１０は、ステップＳ３１１に進み、前述したステップＳ３１１以降の処理を実行し、
（ｔ３）ＣＰＵ１１０は、倶楽部管理メモリ部１０５において、前記倶楽部の選択情報で特定される倶楽部の参加端末として、参加要求してきた会員端末装置の識別情報ＩＤを書き込んで登録し（ステップＳ３１１）、そして、ＣＰＵ１１０は、参加登録許可通知を、参加要求してきた会員端末装置２００に送信する（ステップＳ３１２）、
技術。
（５）引用文献５
（５−１）引用文献５の記載事項
　令和元年１１月２２日付けの当審の拒絶の理由に記載された引用文献５である特開２００５−２２２３９２号公報には、「ソフトウェア更新方法及びソフトウェア更新プログラム」（発明の名称）に関し、図面と共に次に掲げる事項が記載されている。
　なお、下線は、強調のために当審で付したものである。
ア　「【０００３】
　ここで、図８及び図９を参照して、従来の自律蓄積システムにおいて、コンテンツの蓄積や提供のサービスを停止させずに、ある自律蓄積装置を停止させる動作について説明する。図８は、ネットワークを介して接続された複数の自律蓄積装置によってコンテンツを分散させて蓄積する、従来の自律蓄積システムの構成を示す構成図である。また、図９は、従来の自律蓄積システムにおいて、コンテンツの蓄積や提供のサービスを停止させずに、ある自律蓄積装置を停止させる際の手順を示した模式図である。
【０００４】
　図８に示すように、
自律蓄積システム１００は、ここではネットワークＮに接続された４台の自律蓄積装置Ｄで構成されている。この自律蓄積システム１００は、図示していないクライアントコンピュータ等からコンテンツの書き込み要求があったときに、自律蓄積装置Ｄ（Ｄ１〜Ｄ４）間でコンテンツを分散し、各々の蓄積装置２Ｃ（２Ｃ１〜２Ｃ４）に蓄積するものである。
【０００５】
　
自律蓄積装置Ｄは、コントローラ１Ｃと、蓄積装置２Ｃとで構成されている。コントローラ１Ｃは、ＣＰＵ
やメモリ等を備えたコンピュータであって、コントローラ１Ｃ間で、コンテンツ群の負荷分散や障害回復等を行うものである。また、蓄積装置２Ｃは、ハードディスク等の一般的な蓄積装置であって、コンテンツ群を蓄積するプライマリ領域Ｐと、当該コンテンツ群のバックアップであるバックアップコンテンツ群を蓄積するバックアップ領域Ｂとに論理的に分割されている。
【０００６】
　このように自律蓄積システム１００を構成することで、
クライアントコンピュータ等からコンテンツの書き込み要求があった場合には、自律蓄積システム１００は、コントローラ１Ｃ（１Ｃ１〜１Ｃ４）間で、コンテンツの負荷分散を行い、蓄積装置２Ｃ（２Ｃ１〜２Ｃ４）のいずれかの蓄積装置内のプライマリ領域Ｐにコンテンツ（プライマリコンテンツ：ｐ１〜ｐ４）を書き込む。また、このとき、自律蓄積システム１００は、コントローラ１Ｃ（１Ｃ１〜１Ｃ４）を介して、プライマリコンテンツ群を蓄積した蓄積装置２Ｃとは異なる蓄積装置２Ｃ（２Ｃ１〜２Ｃ４）のバックアップ領域Ｂにコンテンツ（バックアップコンテンツ：ｂ１〜ｂ４）を書き込む。例えば、蓄積装置２Ｃ１のプライマリ領域Ｐに蓄積されているプライマリコンテンツ群ｐ１は、蓄積装置２Ｃ２のバックアップ領域Ｂにバックアップコンテンツ群ｂ１として書き込まれる。
イ　「【図８】
」
ウ　「【００６０】
　ここで、
コンテンツ操作制御部３６ａは、情報受信部３４を介してコンテンツ蓄積手段７０内にコンテンツを書き込む情報（書き込み要求）を受信した場合には、この情報に基づいて、このコンテンツがクライアントコンピュータ５から入力されるプライマリコンテンツであるかを判断する。そして、このコンテンツが、クライアントコンピュータ５から入力されたプライマリコンテンツである場合には、コンテンツ操作制御部３６ａは、このプライマリコンテンツをネットワークＮを介して接続されたいずれかの自律蓄積装置１（１n-1、１n+1…）のコンテンツ蓄積手段７０のプライマリ領域Ｐ（図１参照）に、プライマリコンテンツとして蓄積させる。
【００６１】
　このとき、自律蓄積装置１nは、例えば、コンテンツを所定バイト数毎に、あるいは、複数のコンテンツを蓄積容量がほぼ等しくなるように分けることでコンテンツを分散する。そして、コンテンツ操作制御部３６ａは、情報送信部３５に、他の自律蓄積装置１（１n-1、１n+1…）にプライマリコンテンツを蓄積させる情報を送信する。また、コンテンツ操作制御部３６ａは、コンテンツ格納手段３１のコンテンツ受信部３１ａに対して、この自律蓄積装置１（１n-1、１n+1…）に蓄積するコンテンツを受信する指令を出力する。さらに、コンテンツ操作制御部３６ａは、情報受信部３４から入力された情報に含まれるコンテンツ名に基づいて、コンテンツ名と、このコンテンツをコンテンツ蓄積手段７０に蓄積するアドレスとを対応付けた位置情報を生成して、コンテンツ位置情報蓄積手段３８に蓄積し、コンテンツ書込部３１ｂに対して、コンテンツ受信部３１ａによって受信したコンテンツを、位置情報で示されたアドレスに書き込む指令を出力する。
【００６２】
　また、
コンテンツ操作制御部３６ａは、プライマリコンテンツ群ｐn内の一つのコンテンツｐn（ｍ）をコンテンツ蓄積手段７０に蓄積した場合には、このプライマリコンテンツｐn（ｍ）のバックアップを行う指令を出力する。つまり、コンテンツ操作制御部３６ａは、このプライマリコンテンツｐn（ｍ）のアドレスを含む、コンテンツ蓄積手段７０に蓄積されたプライマリコンテンツｐn（ｍ）を読み出す指令を、コンテンツ読出部３２ｂに対して送信し、コンテンツ送信部３２ａに対して、このコンテンツをバックアップコンテンツｂn（ｍ）として、コンテンツ蓄積手段７０のプライマリ領域Ｐに関連付けられる自律蓄積装置１n+1に送信する指令を出力する。
エ　「【図１】
【図２】
」
（５−２）引用文献５に記載された従来技術
　上記ア〜イに摘記した記載事項から、引用文献５には、次の技術（以下、「文献５従来技術」という。）が記載されていると認められる。
　なお、各構成の符号（ｕ）〜（ｖ２）は説明のために当審において付したものであり、以下、構成ｕ〜ｖ２と称する。
（文献５従来技術）
（ｕ）自律蓄積システム１００は、ここではネットワークＮに接続された４台の自律蓄積装置Ｄで構成されており、
この自律蓄積システム１００は、図示していないクライアントコンピュータ等からコンテンツの書き込み要求があったときに、自律蓄積装置Ｄ（Ｄ１〜Ｄ４）間でコンテンツを分散し、各々の蓄積装置２Ｃ（２Ｃ１〜２Ｃ４）に蓄積するものであり、
（ｕ１）自律蓄積装置Ｄは、コントローラ１Ｃと、蓄積装置２Ｃとで構成されており、
コントローラ１Ｃは、ＣＰＵやメモリ等を備えたコンピュータであって、コントローラ１Ｃ間で、コンテンツ群の負荷分散や障害回復等を行うものであり、
また、蓄積装置２Ｃは、ハードディスク等の一般的な蓄積装置であって、コンテンツ群を蓄積するプライマリ領域Ｐと、当該コンテンツ群のバックアップであるバックアップコンテンツ群を蓄積するバックアップ領域Ｂとに論理的に分割されており、
（ｖ１）クライアントコンピュータ等からコンテンツの書き込み要求があった場合には、自律蓄積システム１００は、コントローラ１Ｃ（１Ｃ１〜１Ｃ４）間で、コンテンツの負荷分散を行い、蓄積装置２Ｃ（２Ｃ１〜２Ｃ４）のいずれかの蓄積装置内のプライマリ領域Ｐにコンテンツ（プライマリコンテンツ：ｐ１〜ｐ４）を書き込み、
また、このとき、自律蓄積システム１００は、コントローラ１Ｃ（１Ｃ１〜１Ｃ４）を介して、プライマリコンテンツ群を蓄積した蓄積装置２Ｃとは異なる蓄積装置２Ｃ（２Ｃ１〜２Ｃ４）のバックアップ領域Ｂにコンテンツ（バックアップコンテンツ：ｂ１〜ｂ４）を書き込み、
（ｖ２）例えば、蓄積装置２Ｃ１のプライマリ領域Ｐに蓄積されているプライマリコンテンツ群ｐ１は、蓄積装置２Ｃ２のバックアップ領域Ｂにバックアップコンテンツ群ｂ１として書き込まれる、
従来技術。
（５−３）引用文献５に記載された技術
　上記ウ〜エに摘記した記載事項から、引用文献５には、次の技術（以下、「文献５従来技術」という。）が記載されていると認められる。
　なお、各構成の符号（ｗ１）〜（ｗ２）は説明のために当審において付したものであり、以下、構成ｗ１〜ｗ２と称する。
（文献５技術）
（ｗ１）コンテンツ操作制御部３６ａは、情報受信部３４を介してコンテンツ蓄積手段７０内にコンテンツを書き込む情報（書き込み要求）を受信した場合には、この情報に基づいて、このコンテンツがクライアントコンピュータ５から入力されるプライマリコンテンツであるかを判断し、
そして、このコンテンツが、クライアントコンピュータ５から入力されたプライマリコンテンツである場合には、コンテンツ操作制御部３６ａは、このプライマリコンテンツをネットワークＮを介して接続されたいずれかの自律蓄積装置１（１n-1、１n+1…）のコンテンツ蓄積手段７０のプライマリ領域Ｐ（図１参照）に、プライマリコンテンツとして蓄積させ、
（ｗ２）コンテンツ操作制御部３６ａは、プライマリコンテンツ群ｐn内の一つのコンテンツｐn（ｍ）をコンテンツ蓄積手段７０に蓄積した場合には、このプライマリコンテンツｐn（ｍ）のバックアップを行う指令を出力する、
つまり、コンテンツ操作制御部３６ａは、このプライマリコンテンツｐn（ｍ）のアドレスを含む、コンテンツ蓄積手段７０に蓄積されたプライマリコンテンツｐn（ｍ）を読み出す指令を、コンテンツ読出部３２ｂに対して送信し、コンテンツ送信部３２ａに対して、このコンテンツをバックアップコンテンツｂn（ｍ）として、コンテンツ蓄積手段７０のプライマリ領域Ｐに関連付けられる自律蓄積装置１n+1に送信する指令を出力する、
技術。
３　対比
　本願発明の構成Ａ〜Ｂ９を引用発明の構成ａ〜ｈと対比する。
（１）構成Ａについて
　構成ｃの「ホームサーバ１１１」及び「ホームサーバ１２１…」は、構成ｄにあるとおり、「動画像などのコンテンツの保存や再生を行なうことが可能」なものであるから、構成Ａの「ユーザ機器装置」に相当する。
　また、構成ａの「集合住宅や近接する複数の家で構成されるグループ」は、構成ｃにあるとおり、ユーザの自宅に設けられた「ホームサーバ１１１」及びその他のユーザの自宅に設けられた「ホームサーバ１２１…」によって構成されるものと認められ、また、構成ｆ〜ｈにあるとおり、コンテンツの共有が可能であるから、構成Ａの「グループ」に相当する。
　よって、構成ａの「システム」は、構成Ａと、
「（Ａ）ユーザ機器装置のグループを生成し、前記グループ内の前記ユーザ機器装置とコンテンツを共有するシステム」である点で共通する。
（２）構成Ｂについて
　構成ｃの「ホームサーバ１１１」は構成ａの「システム」に含まれるものであって、かつ、「ユーザの自宅に設けられたもの」である。
　よって、構成ｃの「ホームサーバ１１１」は、構成Ｂと、「（Ｂ）ユーザの家庭内に設置されたユーザ機器装置」である点で共通する。
（３）構成Ｃについて
　構成ｆはサーバが参加するときの処理を規定するものの、参加のためのユーザインターフェースを特定しない。
　よって、本願発明の構成Ｂが、
「（Ｃ）第１のユーザインターフェースを提示することであって、
（Ｃ１）前記第１のユーザインターフェースは、前記ユーザの家庭内の１つ以上のユーザ機器装置を前記グループに追加するように前記第１のユーザインターフェース内に提示された前記ユーザの家庭内の前記１つ以上のユーザ機器装置を前記ユーザが選択することによって、前記ユーザが前記グループを生成することを可能にするためのものである」ように構成されているのに対して、引用発明はそのような構成を有しない点で相違する。（相違点１）
（４）構成Ｄについて
　上記（３）と同様に、構成ｆは、「その他のユーザの自宅に設けられた」「ホームサーバ１２１…」の参加の態様を規定していない。
　よって、本願発明の構成Ｂが、
「（Ｄ）第２のユーザインターフェースまたは第３のユーザインターフェースを提示することであって、
（Ｄ１）前記第２のユーザインターフェースは、前記グループに参加するように他のユーザの家庭内のユーザ機器装置を前記ユーザが招待することを可能にするためのものであり、
（Ｄ２）前記第３のユーザインターフェースは、他のユーザの家庭内のユーザ機器装置からの前記グループに参加するという要求を前記ユーザが承諾することを可能にするためのものである」ように構成されているのに対して、引用発明はそのような構成を有しない点で相違する。（相違点２）
（５）構成Ｅについて
　構成ｄにあるとおり、「ホームサーバ１１１」は「二次記憶装置を備えており、動画像などのコンテンツの保存を行なうことが可能」であり、かつ、構成ｇ及びｈにあるとおり、当該保存されるコンテンツは別のサーバで再生可能なものである。
　したがって、「ホームサーバ１１１」は、
「（Ｅ）第４のユーザインターフェースを提示することであって、
（Ｅ１）前記第４のユーザインターフェースは、前記グループ内の他のユーザ機器装置と共有されるコンテンツを前記ユーザの家庭内に設置された前記ユーザ機器装置に記録することを前記ユーザに行わせることを可能にするためのものである」点で構成Ｅ及びＥ１と共通する。
　しかしながら、構成ｄの「ホームサーバ１１１」は、そのような処理を行うためのユーザインターフェースは特定されていない。また、構成ｈにあるとおり、引用発明は「各サーバでコンテンツを再生する」構成を有するものの、再生するコンテンツを選択するためのユーザインターフェースは特定されていない。
　よって、「（Ｅ）第４のユーザインターフェース」について、
　本願発明は、
「（Ｅ２）前記グループ内の前記ユーザ機器装置の間で共有されるコンテンツのリストを表示することであって、
（Ｅ３）前記共有されるコンテンツは、前記ユーザの家庭内に設置された前記ユーザ機器装置によって記録されたコンテンツを含む」ように構成されているのに対して、引用発明はそのような構成を有しない点で相違する。（相違点３）
（７）構成Ｇ及びＨについて
　構成ｈにあるとおり、引用発明は、「各サーバでコンテンツを再生する場合は、」「別のサーバに保存されているデータも使用して再生」を行う。当該構成が、あるホームサーバにおいてコンテンツを再生する場合に、他のホームサーバに対して対象のコンテンツの再生要求を行うこと及び他のホームサーバから再生を行うホームサーバへの対象コンテンツの伝送を含むことは、技術常識に照らして明らかなことである。
　よって、構成ｈは、構成Ｇ及び構成Ｈと、
「（Ｇ）前記ユーザの家庭内に設置された前記ユーザ機器装置によって記録された前記コンテンツを再生するという要求を前記ユーザ機器装置の前記グループ内の他のユーザ機器装置から受信することと、
（Ｈ）前記コンテンツを前記他のユーザ機器装置に伝送すること、を行うように構成されて」いる点で共通する。
（８）構成Ｅ４及びＥ５について
　構成ｅ、ｇ及びｉにあるとおり、引用発明は、「コンテンツを保存するときに、当該コンテンツを共有すべき複数のサーバで分担して保存させ、」具体的には、「あるコンテンツについて、サーバ１１１、１２１が同じコンテンツを保存しようとしている場合、サーバ２５１が、保存すべきデータを各サーバのＨＤＤに割り振り、それぞれデータ２１４２、データ２２４３の保存を指示」する。また、構成ｄにあるとおり、「複数のホームサーバ１１１は、動画像などのコンテンツの保存を行なうことが可能」であるから、サーバ２５１の指示によって、ホームサーバ１１１がデータ２１４２を保存するものということができる。
　したがって、引用発明と本願発明は、
「（Ｅ４）選択されたコンテンツを記録するために、前記グループ内の前記ユーザ機器装置のうちの少なくとも２つに前記グループによって共有される格納空間を分配する」点で共通する。
　しかしながら、構成ｂ及びｅにあるとおり、引用発明における保存すべきデータの割り振りはサーバ２５１が行うことから、
　「（Ｅ４）選択されたコンテンツを記録するために、前記グループ内の前記ユーザ機器装置のうちの少なくとも２つに前記グループによって共有される格納空間を分配すること」について、
　本願発明では、「（Ｂ）前記ユーザの家庭内に設置された前記ユーザ機器装置」が行うのに対して、引用発明はそのような構成を有しない点で相違する。（相違点４）
　また、構成ｄの「ホームサーバ１１１」と構成Ｅ５は、「（Ｅ５）分配された格納空間を用いて、前記選択されたコンテンツを格納する」点で共通する。
　しかしながら、構成Ｅ５の「前記分配された格納空間」は構成Ｅ４によって「分配された格納空間」であるから、「前記選択されたコンテンツを格納すること」について、本願発明は構成Ｅ４によって「前記分配された格納空間を用いて」行うのに対して、引用発明はそのような構成を有しない点で相違する。（相違点５）
（９）構成Ｅ６について
　構成ｊにあるとおり、引用発明はサーバ間でのデータ保持の仕方に冗長度を持たせるものの、その具体的な方法は特定されていない。
　したがって、本願発明は、
「（Ｅ６）前記グループ内の前記１つ以上のユーザ機器装置は、前記選択されたコンテンツを記録した後に、前記グループ内の前記ユーザ機器装置のうちの前記少なくとも２つのうちの他の任意のユーザ機器装置に分配された格納空間に前記選択されたコンテンツを格納するように構成されている」のに対して、引用発明はそのような構成を有しない点で相違する。（相違点６）
（１０）まとめ
　以上をまとめると、本願発明と引用発明の一致点及び相違点は、以下のとおりである。
［一致点］
（Ａ）ユーザ機器装置のグループを生成し、前記グループ内の前記ユーザ機器装置とコンテンツを共有するシステムであって、
（Ｂ）前記システムは、ユーザの家庭内に設置されたユーザ機器装置を含み、
（Ｂ）前記ユーザの家庭内に設置された前記ユーザ機器装置は、
（Ｅ）第４のユーザインターフェースを提示することであって、
（Ｅ１）前記第４のユーザインターフェースは、前記グループ内の他のユーザ機器装置と共有されるコンテンツを前記ユーザの家庭内に設置された前記ユーザ機器装置に記録することを前記ユーザに行わせることを可能にするためのものである、ことと、
（Ｇ）前記ユーザの家庭内に設置された前記ユーザ機器装置によって記録された前記コンテンツを再生するという要求を前記ユーザ機器装置の前記グループ内の他のユーザ機器装置から受信することと、
（Ｈ）前記コンテンツを前記他のユーザ機器装置に伝送することと
　を行うように構成されており、
（Ｂ）前記ユーザの家庭内に設置された前記ユーザ機器装置は、
（Ｅ５’）分配された格納空間を用いて、前記選択されたコンテンツを格納することと
　を行うようにさらに構成されている、
（Ａ）システム。
［相違点１］
　本願発明の構成Ｂが、
「（Ｃ）第１のユーザインターフェースを提示することであって、
（Ｃ１）前記第１のユーザインターフェースは、前記ユーザの家庭内の１つ以上のユーザ機器装置を前記グループに追加するように前記第１のユーザインターフェース内に提示された前記ユーザの家庭内の前記１つ以上のユーザ機器装置を前記ユーザが選択することによって、前記ユーザが前記グループを生成することを可能にするためのものである」ように構成されているのに対して、引用発明はそのような構成を有しない点
［相違点２］
　本願発明の構成Ｂが、
「（Ｄ）第２のユーザインターフェースまたは第３のユーザインターフェースを提示することであって、
（Ｄ１）前記第２のユーザインターフェースは、前記グループに参加するように他のユーザの家庭内のユーザ機器装置を前記ユーザが招待することを可能にするためのものであり、
（Ｄ２）前記第３のユーザインターフェースは、他のユーザの家庭内のユーザ機器装置からの前記グループに参加するという要求を前記ユーザが承諾することを可能にするためのものである」ように構成されているのに対して、引用発明はそのような構成を有しない点。
［相違点３］
　「（Ｅ）第４のユーザインターフェース」について、本願発明は、
「（Ｅ２）前記グループ内の前記ユーザ機器装置の間で共有されるコンテンツのリストを表示することであって、
（Ｅ３）前記共有されるコンテンツは、前記ユーザの家庭内に設置された前記ユーザ機器装置によって記録されたコンテンツを含む」ように構成されているのに対して、引用発明はそのような構成を有しない点。
［相違点４］
　構成Ｅ４の「（Ｅ４）選択されたコンテンツを記録するために、前記グループ内の前記ユーザ機器装置のうちの少なくとも２つに前記グループによって共有される格納空間を分配すること」について、
　本願発明では、「（Ｂ）前記ユーザの家庭内に設置された前記ユーザ機器装置」が行うのに対して、引用発明はそのような構成を有しない点。
［相違点５］
　「前記選択されたコンテンツを格納すること」について、本願発明は構成Ｅ４によって「前記分配された格納空間を用いて」行うのに対して、引用発明はそのような構成を有しない点。
［相違点６］
　本願発明は、
「（Ｅ６）前記グループ内の前記１つ以上のユーザ機器装置は、前記選択されたコンテンツを記録した後に、前記グループ内の前記ユーザ機器装置のうちの前記少なくとも２つのうちの他の任意のユーザ機器装置に分配された格納空間に前記選択されたコンテンツを格納するように構成されている」のに対して、引用発明はそのような構成を有しない点。
４　判断
（１）相違点１について
　文献２技術の構成ｎ１のメディアサーバ1002は、構成ｎ２にあるとおり、「ユーザは、DVR 1003、1004、1005およびメディアサーバ1002がコンテンツの共有を許可されるようにサービスセンター1006に命令する情報を送」る構成を有しており、そのような情報を作成するためにユーザが設定を行うためのユーザインターフェースを提供する構成をも有することは、技術常識に照らして明らかなことである。また、コンテンツの共有が許可されるDVR 1003、1004、1005およびメディアサーバ1002は、グループを構成するものといえる。
　そして、引用発明も、文献２技術と同様にコンテンツを共有するグループに対する制御を行うものであるから、引用発明において文献２技術を採用し、ホームサーバ１１１が「第１のユーザインターフェースを提示することであって、前記第１のユーザインターフェースは、前記ユーザの家庭内の１つ以上のユーザ機器装置を前記グループに追加するように前記第１のユーザインターフェース内に提示された前記ユーザの家庭内の前記１つ以上のユーザ機器装置を前記ユーザが選択することによって、前記ユーザが前記グループを生成することを可能にするためのものである、こと」を行うよう構成することは、当業者が容易に想到し得たことである。
（２）相違点２について
　文献３技術は、構成ｐ及びｐ２にあるとおり、グループ作成のために招待状を受信側に送る構成を有し、本願発明の構成Ｂ２の「前記グループに参加するように他のユーザの家庭内のユーザ機器装置を前記ユーザが招待することを可能にするための」「第２のユーザインターフェース」を備えることは、技術常識に照らして明らかなことである。
　そして、引用発明も、文献３技術と同様にコンテンツを共有するグループに対する制御を行うものであるから、引用発明において文献３技術を採用することは、当業者が容易に想到し得たことである。
　したがって、構成Ｄにおいて「第２のユーザインターフェース」の提示と「第３のユーザインターフェース」の提示とは選択的に記載されていることから、引用発明において文献３技術を採用し、ホームサーバ１１１が「第２のユーザインターフェースまたは第３のユーザインターフェースを提示することであって、前記第２のユーザインターフェースは、前記グループに参加するように他のユーザの家庭内のユーザ機器装置を前記ユーザが招待することを可能にするためのものであり、前記第３のユーザインターフェースは、他のユーザの家庭内のユーザ機器装置からの前記グループに参加するという要求を前記ユーザが承諾することを可能にするためのものである、こと」を行うよう構成することは、当業者が容易に想到し得たことである。
　なお、「第３のユーザインターフェース」の提示について検討しても、文献４技術は、構成ｓ１〜ｔ３にあるとおり、ＧＵＩ画面によって参加許可する会員ユーザの会員端末装置２００の選択を行う構成を有しており、「他のユーザの家庭内のユーザ機器装置からの前記グループに参加するという要求を前記ユーザが承諾することを可能にするための」「第３のユーザインターフェース」に相当する。
　そして、引用発明と文献４技術とはコンテンツを共有するグループに対する制御を行うものである点で共通するから、引用発明に文献４技術を採用し、ホームサーバ１１１が「第２のユーザインターフェースまたは第３のユーザインターフェースを提示することであって、前記第２のユーザインターフェースは、前記グループに参加するように他のユーザの家庭内のユーザ機器装置を前記ユーザが招待することを可能にするためのものであり、前記第３のユーザインターフェースは、他のユーザの家庭内のユーザ機器装置からの前記グループに参加するという要求を前記ユーザが承諾することを可能にするためのものである、こと」を行うよう構成することは、当業者が容易に想到し得たことである。
（３）相違点３について
　構成ｄ及びｆにあるとおり、引用発明は、保存したコンテンツを再生する構成を有している。そして、コンテンツの再生のためには、再生対象とするコンテンツを選択する構成が必要であることは明らかである。他方、引用発明のホームサーバが保存するコンテンツは他のホームサーバと共有するコンテンツである。
　してみれば、引用発明において、ユーザによって保存されたコンテンツを含む、コンテンツの共有を行うグループ内のホームサーバ間で共有されるコンテンツのリストを表示するよう構成することは、当業者が適宜になし得たことである。
（４）相違点４及び５について
　構成ｋにあるとおり、引用発明は、各ホームサーバが同じコンテンツを保存しているかどうかを判断するために各サーバが保存しようとするチャネルが何であるかを判断するための構成について、「サーバ間で共有する」方法と「サーバを統括する機構により観測する」方法を選択的に有する。
　また、構成ｌにあるとおり、引用発明は、要旨を逸脱しない範囲内で種々の変形が可能なものである。
　してみば、「選択されたコンテンツを記録するために、前記グループ内の前記ユーザ機器装置のうちの少なくとも２つに前記グループによって共有される格納空間を分配すること」について、「サーバを統括する機構」であるサーバ２５１によって行う方法に換えて、ホームサーバ１１１によって行うよう構成することは、当業者が適宜になし得たことである。
　したがって、「選択されたコンテンツを記録するために、前記グループ内の前記ユーザ機器装置のうちの少なくとも２つに前記グループによって共有される格納空間を分配すること」について、「前記ユーザの家庭内に設置された前記ユーザ機器装置」が行うよう構成するとともに、「前記選択されたコンテンツを格納すること」について、「前記分配された格納空間を用いて」行うよう構成することは、当業者が容易に想到し得たことである。
（５）相違点６について
　文献５従来技術は、構成ｖ１及びｖ２にあるとおり、「クライアントコンピュータ等からコンテンツの書き込み要求があった場合」、「いずれかの蓄積装置内のプライマリ領域Ｐにコンテンツを書き込」むとともに、「プライマリコンテンツ群を蓄積した蓄積装置２Ｃとは異なる蓄積装置２Ｃ（２Ｃ１〜２Ｃ４）のバックアップ領域Ｂにコンテンツを書き込」む構成を有する。
　ここで、文献５従来技術は、プライマリ領域Ｐへのコンテンツの書き込みとバックアップ領域Ｂへのコンテンツの書き込みの時間的前後関係を特定しない。しかしながら、文献５技術は、文献５従来技術と同様のコンテンツのバックアップについて、構成ｗ２にあるとおり、「コンテンツ蓄積手段７０に蓄積されたプライマリコンテンツｐn（ｍ）を読み出す指令を、コンテンツ読出部３２ｂに対して送信し、コンテンツ送信部３２ａに対して、このコンテンツをバックアップコンテンツｂn（ｍ）として、コンテンツ蓄積手段７０のプライマリ領域Ｐに関連付けられる自律蓄積装置１n+1に送信する指令を出力する」から、コンテンツが「いずれかの蓄積装置内のプライマリ領域Ｐにコンテンツを書き込」まれた後に「プライマリコンテンツ群を蓄積した蓄積装置２Ｃとは異なる蓄積装置２Ｃ（２Ｃ１〜２Ｃ４）のバックアップ領域Ｂにコンテンツを書き込」まれることは明らかである。
　そして、引用発明は、構成ｊにあるとおり、サーバ間でのデータ保持の仕方に冗長度を持たせるものであったことから、文献５従来技術及び文献５技術とは、コンテンツを蓄積する際に冗長度を持たせるという共通の技術分野に属する。よって、引用発明において、文献５従来技術及び文献５技術を採用し、「前記グループ内の前記１つ以上のユーザ機器装置は、前記選択されたコンテンツを記録した後に、前記グループ内の前記ユーザ機器装置のうちの前記少なくとも２つのうちの他の任意のユーザ機器装置に分配された格納空間に前記選択されたコンテンツを格納するように構成」することは、当業者が容易に想到し得たことである。
（６）本願発明の効果について
　本願発明の構成は、上記（１）ないし（５）において検討したとおり、当業者が容易に想到できたものであるところ、本願発明が奏する効果は、その容易想到し得た構成から当業者が容易に予測し得る範囲内のものであり、同範囲を超える格別顕著なものがあるとは認められない。
（７）まとめ
　以上のとおりであるから、本願発明は、引用文献１ないし５に記載された発明に基づいて当業者が容易に発明をすることができたものである。
第３　むすび
　以上のとおり、本願の請求項６に係る発明は、引用文献１ないし５に記載された発明に基づいて当業者が容易に発明をすることができたものであるから、特許法第２９条第２項の規定により特許を受けることができない。
　したがって、本願は、その余の請求項について言及するまでもなく、拒絶をすべきものである。
　よって、結論のとおり審決する。